(57)【要約】【課題】袋状容器の内容物を、他の容器に移し替えることなく、袋状容器から直接抽出して使用することができ、しかも、内容物を抽出する際に、袋状容器を持ち上げて傾ける必要がなく、内容物を所望の量だけ正確に抽出することができるポンプ付き袋状容器及び袋状容器用ポンプを提供する。【解決手段】ポンプ付き袋状容器は、軟包材から形成され、その上部に内容物の抽出口１１を有する袋状容器１０と、袋状容器１０の上部に設けられ、抽出口１１を介して、袋状容器１０の内容物を抽出するポンプ２０とを備えている。また、袋状容器用ポンプ２０は、軟包材から形成される袋状容器１０の抽出口１１に抜き差し自在に差し込まれ、袋状容器１０の内容物を抽出するポンプ本体２１と、ポンプ本体２１の外周部に着脱自在に装着され、ポンプ本体２１との間で袋状容器１０の上部を挟持するホルダ２２とを備えている。【選択図】      図１
2005014982.tif 000002
【特許請求の範囲】
【請求項１】
軟包材から形成され、その上部に内容物の抽出口を有する袋状容器と、
前記袋状容器の上部に設けられ、前記抽出口を介して、前記袋状容器の内容物を抽出するポンプと、
を備えることを特徴とするポンプ付き袋状容器。
【請求項２】
前記袋状容器が、自立可能な自立性袋状容器であり、前記ポンプが、前記袋状容器の上部中央位置に設けられることを特徴とする請求項１記載のポンプ付き袋状容器。
【請求項３】
前記ポンプが、前記抽出口に抜き差し自在に差し込まれるポンプ本体と、前記ポンプ本体の外周部に着脱自在に装着され、前記ポンプ本体との間で前記袋状容器の上部を挟持するホルダとを備えることを特徴とする請求項１又は２記載のポンプ付き袋状容器。
【請求項４】
前記ホルダが、その左右両側から張り出す指掛け部を備えることを特徴とする請求項３記載のポンプ付き袋状容器。
【請求項５】
前記指掛け部と前記袋状容器との間に、指を入れるための空間が形成されることを特徴とする請求項４記載のポンプ付き袋状容器。
【請求項６】
前記ホルダを形成する一対の挟持部材に、前記ポンプ本体の外周部に外嵌する半割状の円形嵌合部を形成するにあたり、円形嵌合部の分割ラインを、前記ポンプ本体の軸心に対してオフセットしたことを特徴とする請求項３〜５のいずれかに記載のポンプ付き袋状容器。
【請求項７】
前記ホルダが、前記袋状容器を吊下げ収納するためのフック部を備えることを特徴とする請求項３〜６のいずれかに記載のポンプ付き袋状容器。
【請求項８】
軟包材から形成される袋状容器の抽出口に抜き差し自在に差し込まれ、前記袋状容器の内容物を抽出するポンプ本体と、
前記ポンプ本体の外周部に着脱自在に装着され、前記ポンプ本体との間で前記袋状容器の上部を挟持するホルダと、
を備えることを特徴とする袋状容器用ポンプ。
【発明の詳細な説明】
【０００１】
【発明の属する技術分野】
本発明は、液体洗剤、化粧品、調味料などの容器として用いられるポンプ付き袋状容器、および、袋状容器に装着される袋状容器用ポンプに関する。
【０００２】
【従来の技術】
近年、液体洗剤、化粧品、調味料などの容器として、手動式のポンプを備えるボトル容器が広く普及している。この種のポンプ付きボトル容器は、ボトル容器を持ち上げることなく内容物の抽出が可能であり、しかも、内容物を所望の量だけ正確に抽出できるという利点がある。
また、上記のポンプ付きボトル容器は、プラスチック樹脂などで形成され、その耐用期間が比較的長いことから、内容物のみが詰め替え用として提供されるようになっている。このような場合、詰め替え用内容物の容器としては、必要な耐久性、耐水性を有し、かつ、廃棄処分が容易なプラスチックフィルム製の袋状容器が多用されている。
【０００３】
しかしながら、上記のような袋状容器は、抽出口部位を含む容器全体が柔軟であり、内容物の抽出方向や抽出量をコントロールすることが難しいため、内容物をボトル容器に移し替える際、内容物をこぼす可能性がある。
そこで、袋状容器の抽出口に差し込まれる硬質の抽出筒と、抽出筒の外周部に装着される固定部材とを備える袋状容器用の抽出具が提案されている（例えば、特許文献１、２参照。）。
このような抽出具によれば、袋状容器の抽出口に剛性を付与することができるため、袋状容器から内容物を抽出する際、内容物の抽出方向や抽出量がコントロールし易くなるという利点がある。
【０００４】
【特許文献１】
特開平１１−１１５９５２号公報（第５頁、第１図）
【特許文献２】
特開２０００−１０９１１３号公報（第３頁、第２図）
【０００５】
【発明が解決しようとする課題】
ところで、内容物を詰め替えながらポンプ付きボトル容器を使い続ける場合、上記のような抽出具を用いることにより、袋状容器からボトル容器への内容物の移し替えは容易になるものの、抽出具の装着作業や取り外し作業が増えるため、依然として内容物の詰め替えに手間がかかるという問題がある。
また、内容物の詰め替えに際しては、ボトル容器の誤認により、異種の内容物を混ぜてしまう可能性もある。例えば、詰め替え用のシャンプーを、誤ってリンス容器に移し替えることが考えられる。
【０００６】
そこで、袋状容器の内容物を、ポンプ付きボトル容器に移し替えることなく、袋状容器から直接抽出して使用することが提案される。
しかしながら、袋状容器の内容物を直接抽出して使用する場合には、たとえ前述の抽出具を装着したとしても、内容物を抽出する際に、袋状容器を持ち上げて傾ける必要があるため、ポンプ付きボトル容器に比べて使い勝手に劣るだけでなく、内容物を所望の量だけ正確に抽出することが困難になる。
また、自立性の袋状容器であれば、自立状態で収納することが可能であるが、特許文献１、２に示されるように、袋状容器のコーナー部に抽出具を装着すると、左右バランスが崩れて袋状容器が倒れやすくなるという問題もある。
【０００７】
本発明は、上記の事情にかんがみなされたものであり、袋状容器の内容物を、他の容器に移し替えることなく、袋状容器から直接抽出して使用することができるようになり、しかも、内容物を抽出する際に、袋状容器を持ち上げて傾ける必要がないばかりでなく、内容物を所望の量だけ正確に抽出することができるポンプ付き袋状容器及び袋状容器用ポンプの提供を目的とする。
【０００８】
【課題を解決するための手段】
上記目的を達成するため本発明のポンプ付き袋状容器は、軟包材から形成され、その上部に内容物の抽出口を有する袋状容器と、前記袋状容器の上部に設けられ、前記抽出口を介して、前記袋状容器の内容物を抽出するポンプと、を備える構成としてある。
ポンプ付き袋状容器をこのように構成すれば、袋状容器の内容物を、他の容器に移し替えることなく、袋状容器から直接抽出して使用することが可能になる。これにより、詰め替え作業の手間を省くことができるだけでなく、異種の内容物を混ぜてしまうような不都合も解消することができる。
しかも、袋状容器の内容物をポンプで抽出するため、内容物の抽出に際し、袋状容器を持ち上げて傾ける必要がないばかりでなく、内容物を所望の量だけ正確に抽出することができる。
【０００９】
また、本発明のポンプ付き袋状容器は、前記袋状容器が、自立可能な自立性袋状容器であり、前記ポンプが、前記袋状容器の上部中央位置に設けられる構成としてある。
ポンプ付き袋状容器をこのように構成すれば、袋状容器を自立状態で収納することが可能になるとともに、袋状容器の左右バランスを保ち、袋状容器の転倒を防止することができる。
【００１０】
また、本発明のポンプ付き袋状容器は、前記ポンプが、前記抽出口に抜き差し自在に差し込まれるポンプ本体と、前記ポンプ本体の外周部に着脱自在に装着され、前記ポンプ本体との間で前記袋状容器の上部を挟持するホルダとを備える構成としてある。
ポンプ付き袋状容器をこのように構成すれば、袋状容器に対するポンプの装着や取り外しが容易になるとともに、ポンプの再利用が可能になる。
【００１１】
また、本発明のポンプ付き袋状容器は、前記ホルダが、その左右両側から張り出す指掛け部を備える構成としてある。
ポンプ付き袋状容器をこのように構成すれば、ホルダの指掛け部に指を掛けながらポンプ操作を行うことができるため、袋状容器を持ち上げたりすることなく、袋状容器の内容物を簡単に抽出することが可能になる。
【００１２】
また、本発明のポンプ付き袋状容器は、前記指掛け部と前記袋状容器との間に、指を入れるための空間が形成される構成としてある。
ポンプ付き袋状容器をこのように構成すれば、ホルダの指掛け部に指を掛ける際、袋状容器が邪魔になることがない。例えば、上記の空間は、袋状容器の上部中央位置に抽出口を突出状に形成することにより、その左右両側に確保される。
【００１３】
また、本発明のポンプ付き袋状容器は、前記ホルダを形成する一対の挟持部材に、前記ポンプ本体の外周部に外嵌する半割状の円形嵌合部を形成するにあたり、円形嵌合部の分割ラインを、前記ポンプ本体の軸心に対してオフセットした構成としてある。
ポンプ付き袋状容器をこのように構成すれば、ホルダの一方の挟持部材に形成される円形嵌合部がＣ型となり、ポンプ本体の外周部に対し嵌着可能となるので、ポンプ本体に対するホルダの位置決めが容易になるとともに、ポンプ本体からホルダを外す際、ホルダの落下を防止することができる。
【００１４】
また、本発明のポンプ付き袋状容器は、前記ホルダが、前記袋状容器を吊下げ収納するためのフック部を備える構成としてある。
ポンプ付き袋状容器をこのように構成すれば、袋状容器を吊下げ収納することが可能になるため、内容物の量にかかわらず、袋状容器を縦姿勢に保つことができる。
【００１５】
また、上記目的を達成するため本発明のポンプ付き袋状容器は、軟包材から形成される袋状容器の抽出口に抜き差し自在に差し込まれ、前記袋状容器の内容物を抽出するポンプ本体と、前記ポンプ本体の外周部に着脱自在に装着され、前記ポンプ本体との間で前記袋状容器の上部を挟持するホルダと、を備える構成としてある。
袋状容器用ポンプをこのように構成すれば、袋状容器の内容物を、他の容器に移し替えることなく、袋状容器から直接抽出して使用することができるようになり、しかも、内容物を抽出する際に、袋状容器を持ち上げて傾ける必要がないばかりでなく、内容物を所望の量だけ正確に抽出することができる。
【００１６】
【発明の実施の形態】
以下、本発明の実施形態について、図面を参照して説明する。
図１は、ポンプ付き袋状容器の正面図、図２は、ポンプ付き袋状容器の側面図、図３は、ポンプ付き袋状容器の平面図である。
これらの図に示すように、ポンプ付き袋状容器は、軟包材から形成され、その上部に内容物の抽出口１１を有する袋状容器１０と、袋状容器１０の上部に設けられ、抽出口１１を介して、袋状容器１０の内容物を抽出するポンプ（袋状容器用ポンプ）２０とを備えて構成されている。
【００１７】
なお、本発明のポンプ付き袋状容器は、少なくとも使用状態において袋状容器１０とポンプ２０が一体的な形態であればよい。したがって、ポンプ付き袋状容器の販売形態としては、袋状容器１０のみの単体販売、ポンプ２０のみの単体販売、袋状容器１０とポンプ２０のセット販売、予め一体化された袋状容器１０とポンプ２０の一体販売などが考えられる。
【００１８】
本発明の袋状容器１０に使用する軟包材としては特に制限はない。軟包材を構成するのに適した樹脂材料としては、例えば結晶性ポリプロピレン、結晶性プロピレン−エチレン共重合体、結晶性ポリブテン−１、結晶性ポリ４−メチルペンテン−１、低−、中−、あるいは高密度ポリエチレン、エチレン−酢酸ビニル共重合体（ＥＶＡ）、エチレン−アクリル酸エチル共重合体（ＥＥＡ）、イオン架橋オレフィン共重合体（アイオノマー）等のポリオレフィン類；ポリスチレン、スチレン−ブタジエン共重合体等の芳香族ビニル共重合体；ポリ塩化ビニル、塩化ビニリデン樹脂等のハロゲン化ビニル重合体；アクリロニトリル−スチレン共重合体、アクリロニトリル−スチレン−ブタジエン共重合体の如きニトリル重合体；ナイロン６、ナイロン６６、パラまたはメタキシリレンアジパミドの如きポリアミド類；ポリエチレンテレフタレート、ポリテトラメチレンテレフタレート等のポリエステル類；各種ポリカーボネート；ポリオキシメチレン等のポリアセタール類等の熱可塑性樹脂を挙げることができる。これらの材料からなる軟包材は、未延伸、一軸延伸、あるいは二軸延伸して用いられる。
【００１９】
さらに、本発明の袋状容器１０に使用する軟包材は、これらの軟包材を単層で、あるいは、二種以上を積層して構成することができ、また、これらの軟包材の一種、あるいは、二種以上と、アルミニウム等の金属箔、金属または金属酸化物の蒸着フィルム、紙、セロファン等を貼合わせて構成することもできる。好ましい軟包材としては、例えば、延伸ナイロンフィルムを外層とし、低密度ポリエチレン、ポリプロピレン等のポリオレフィンフィルムを内層とする二層構成、延伸ポリエステルフィルムを外層とし、ポリオレフィンフィルムを内層とする二層構成、及びこれらの内、外層フィルム間にアルミニウム等の金属箔を積層した三層構成のフィルム等が挙げられ、これらの積層フィルムの製造に際しては、各層間に必要に応じて接着剤、アンカー剤を介在させることもできる。
【００２０】
そして、上記軟包材の層構成は、袋状容器１０に充填する内容物の性状に応じて選択され、例えば、詰め替え用液体洗剤に用いる袋状容器１０のように低コストが要求される場合は、二層構成の積層フィルムを使用し、調味料に用いる袋状容器１０のように保存性が要求される場合は、アルミニウム箔を含む三層構成以上の積層フィルムを使用すれば良い。
【００２１】
図４は、袋状容器の正面図である。
この図に示すように、袋状容器１０は、上記の軟包材からなる表裏二枚の胴材１２及び一枚の底材１３を使用し、その周囲にトップシール１４、サイドシール１５及びボトムシール１６を施すことにより形成される。この実施形態の袋状容器１０は、胴材１２が透明な軟包材からなり、底材１３が不透明な軟包材からなっている。
底材１３は、逆Ｖ字状に折り曲げられた状態で表裏の胴材１２間に挟み込まれ、サイドシール１５及びボトムシール１６により表裏の胴材１２に熱圧着される。表裏の胴材１２は、下端部同士が直接熱圧着されることなく、底材１３を介して連結される。これにより、胴材１２の下端部同士が筒状に拡開し、袋状容器１０が自立可能となる。
なお、内容物は、サイドシール１５及びボトムシール１６を施した後、トップシール１４を完全に施す前の段階で袋状容器１０に充填される。
【００２２】
トップシール１４には、外側ほど低くなる左右の傾斜部１４ａと、傾斜部１４ａの上端位置から垂直に立ち上がる左右の垂直部１４ｂと、垂直部１４ｂの上端部同士を繋ぐ先端部１４ｃとが含まれており、左右の垂直部１４ｂに挟まれる部分が抽出口１１となる。抽出口１１は、袋状容器１０の上部中央位置に形成され、先端部１４ｃを切り取り線１７に沿って切り取ることによって開封される。
また、各垂直部１４ｂの上端部には、それぞれずれ止め用の係合孔１８が形成されている。
【００２３】
図５は、ポンプ本体の側面図、図６の（Ａ）は、ホルダの正面図、（Ｂ）は、ホルダの平面図、（Ｃ）は、ホルダの底面図、（Ｄ）は、ホルダのＸ−Ｘ断面図、図７は、ホルダの内側面を示す展開斜視図である。
これらの図に示すように、ポンプ２０は、袋状容器１０の抽出口１１に抜き差し自在に差し込まれるポンプ本体２１と、ポンプ本体２１の外周部に着脱自在に装着され、ポンプ本体２１との間で袋状容器１０の上部を挟持するホルダ２２とを備えている。
なお、ポンプ本体２１及びホルダ２２を形成する材料には特に制限はない。ポンプ本体２１及びホルダ２２の形成に適した材料としては、例えばプラスチック樹脂が挙られる。
【００２４】
ポンプ本体２１は、袋状容器１０の抽出口１１に差し込まれる円筒状のポンプシリンダ２１ａと、ポンプシリンダ２１ａの下端部から袋状容器１０の底部まで延出する吸入パイプ２１ｂと、ポンプシリンダ２１ａ内に上下摺動自在に組込まれるポンプピストン（図示せず）と、ポンプピストンを上方へ付勢するコイルバネ（図示せず）と、ポンプシリンダ２１ａ内の下部に組込まれる弁体（図示せず）と、ポンプシリンダ２１ａから上方に突出するパイプ状のピストンロッド２１ｃと、ピストンロッド２１ｃの上端部に設けられるポンプ操作部２１ｄと、ポンプ操作部２１ｄから前方へ突出する抽出ノズル２１ｅとを備えて構成されている。
また、ポンプシリンダ２１ａの上端部には、抽出口１１に対するポンプ本体２１の差し込み位置を規定するフランジ部２１ｆが形成され、さらに、フランジ部２１ｆの上側には、ポンプ本体２１に対するホルダ２２の装着位置を規定する嵌合溝２１ｇが形成されている。
【００２５】
ポンプ本体２１を袋状容器１０の抽出口１１に差し込むと、抽出口１１の上端とフランジ部２１ｆの下面が当接し、ポンプ本体２１の差し込み位置が規定される。この状態でポンプ操作部２１ｄを押し下げ操作すると、弁体が閉じ、ポンプシリンダ２１ａ内がポンプピストンによって加圧される。ポンプシリンダ２１ａ内に内容物が吸い込まれている状態では、ポンプピストンの加圧動作に伴い、内容物がピストンロッド２１ｃを介して抽出ノズル２１ｅから吐出される。
ポンプ操作部２１ｄの押し下げ操作をやめると、コイルバネの付勢力により、ポンプピストン、ピストンロッド２１ｃ、ポンプ操作部２１ｄ及び抽出ノズル２１ｅが一体的に上昇する。このとき、ポンプピストンの減圧動作に伴い、弁体が開き、袋状容器１０の内容物が吸入パイプ２１ｂを介してポンプシリンダ２１ａ内に吸い込まれる。
したがって、上記動作の繰り返しにより、袋状容器１０の内容物を所望の量だけ正確に抽出することが可能になる。
【００２６】
ホルダ２２は、ヒンジ部２２ａを介して、開閉自在に連結される一対の挟持部材２２ｂ、２２ｃを備えている。ホルダ２２をポンプ本体２１に装着する場合は、挟持部材２２ｂ、２２ｃを開き、第一の挟持部材２２ｂをポンプ本体２１に対して位置決めした後、第二の挟持部材２２ｃを閉じる。このとき、第一の挟持部材２２ｂに形成される係合爪２２ｄが、第二の挟持部材２２ｃに形成される係合溝２２ｅに係合することにより、閉じ状態が保持される。
【００２７】
各挟持部材２２ｂ、２２ｃの対向面は、上下方向に沿う半円状の挟持溝２２ｆと、その左右両側に形成される挟持面２２ｇとを有する。挟持溝２２ｆは、ポンプ本体２１のポンプシリンダ２１ａに外嵌し、ポンプシリンダ２１ａとの間で袋状容器１０の抽出口１１を挟持する部分である。
左右の挟持面２２ｇは、袋状容器１０のトップシール１４（左右の垂直部１４ｂ）を挟持する部分である。
また、第一の挟持部材２２ｂは、左右の挟持面２２ｇにずれ止め凸部２２ｈを有し、第二の挟持部材２２ｃは、左右の挟持面２２ｇにずれ止め凹部２２ｉを有する。第一の挟持部材２２ｂをポンプ本体２１に対して位置決めする際、ずれ止め凸部２２ｈを袋状容器１０の係合孔１８に挿通し、その後に第二の挟持部材２２ｃを閉じると、ずれ止め凹部２２ｉがずれ止め凸部２２ｈに嵌合し、ホルダ２２に対する袋状容器１０のずれが規制される。
【００２８】
各挟持部材２２ｂ、２２ｃの上部には、ポンプ本体２１の嵌合溝２１ｇに嵌合して、ポンプ本体２１に対するホルダ２２の装着位置を規定する半割状の円形嵌合部２２ｊ、２２ｋが形成されている。各挟持部材２２ｂ、２２ｃに形成される円形嵌合部２２ｊ、２２ｋの分割ラインＬは、ポンプ本体２１の軸心に一致せず、第二の挟持部材２２ｃ側にオフセットしている。これにより、第一の挟持部材２２ｂに形成される円形嵌合部２２ｊがＣ型となり、単独でポンプ本体２１の嵌合溝２１ｇに嵌着可能となる。その結果、ポンプ本体２１に対するホルダ２２の位置決めが容易になるとともに、ポンプ本体２１からホルダ２２を外す際、ホルダ２２の落下を防止することが可能になる。
【００２９】
ホルダ２２は、その左右両側から張り出す指掛け部２２ｍを更に備えている。本実施形態の指掛け部２２ｍは、ホルダ２２の左右両側から後方へ張り出すように形成されるが、ホルダ２２の左右両側から外側方又は前方へ張り出すように形成してもよい。このようにホルダ２２に指掛け部２２ｍを形成すると、例えば、左右の指掛け部２２ｍに人指し指と中指を下側から掛け、親指でポンプ操作部２１ｄを押し下げ操作することが可能になる。これにより、袋状容器１０を持ち上げたりすることなく、袋状容器１０の内容物を簡単に抽出することが可能になる。
なお、本実施形態では、一方の指掛け部２２ｍを第二の挟持部材２２ｃの先端部に形成しているため、第二の挟持部材２２ｃを開く際の指掛けに兼用することができる。
【００３０】
また、ホルダ２２の指掛け部２２ｍと袋状容器１０との間には、指を入れるのに十分な空間Ｋが確保される。本実施形態では、抽出口１１を袋状容器１０の上部中央位置に突出状に形成し、かつ、トップシール１４の左右両側を傾斜部１４ａとすることにより、上記の空間Ｋが確保される。このような空間Ｋを確保すれば、ホルダ２２の指掛け部２２ｍに指を掛ける際、袋状容器１０が邪魔になることを防止できる。
【００３１】
さらに、本実施形態のホルダ２２には、フック部２２ｎが形成されている。フック部２２ｎは、第一の挟持部材２２ｂから後方に突出形成される下向きのもので、任意の場所にフック部２２ｎを引っ掛けることにより、袋状容器１０を吊下げ収納することが可能になる。袋状容器１０をこのように収納すれば、内容物の量にかかわらず、袋状容器１０を縦姿勢に保つことができる。
【００３２】
上記のように構成された本実施形態のポンプ付き袋状容器によれば、軟包材から形成され、その上部に内容物の抽出口１１を有する袋状容器１０と、袋状容器１０の上部に設けられ、抽出口１１を介して、袋状容器１０の内容物を抽出するポンプ２０とを備えるため、袋状容器１０の内容物を、他の容器に移し替えることなく、袋状容器１０から直接抽出して使用することが可能になる。
【００３３】
これにより、詰め替え作業の手間を省くことができるだけでなく、異種の内容物を混ぜてしまうような不都合も解消することができる。
しかも、袋状容器１０の内容物をポンプ２０で抽出するため、内容物の抽出に際し、袋状容器１０を持ち上げて傾ける必要がないばかりでなく、内容物を所望の量だけ正確に抽出することができる。
【００３４】
また、袋状容器１０を自立可能な自立性袋状容器とし、ポンプ２０を袋状容器１０の上部中央位置に装着するため、袋状容器１０を自立状態で収納することが可能になるとともに、袋状容器１０の左右バランスを保ち、袋状容器１０の転倒を防止することができる。
【００３５】
また、ポンプ２０は、抽出口１１に抜き差し自在に差し込まれるポンプ本体２１と、ポンプ本体２１の外周部に着脱自在に装着され、ポンプ本体２１との間で袋状容器１０の上部を挟持するホルダ２２とを備えて構成されるため、袋状容器１０に対するポンプ２０の装着や取り外しが容易になるとともに、ポンプ２０の再利用が可能になる。
【００３６】
また、ホルダ２２は、その左右両側から張り出す指掛け部２２ｍを備えるため、ホルダの指掛け部２２ｍに指を掛けながらポンプ操作を行うことができる。これにより、袋状容器１０を持ち上げたりすることなく、袋状容器１０の内容物を簡単に抽出することが可能になる。
また、指掛け部２２ｍと袋状容器１０との間には、指を入れるための空間Ｋが形成されるため、ホルダ２２の指掛け部２２ｍに指を掛ける際、袋状容器１０が邪魔になることもない。
また、ホルダ２２は、袋状容器１０を吊下げ収納するためのフック部２２ｎを備えるため、内容物の量にかかわらず、袋状容器１０を縦姿勢に保つことができる。
【００３７】
また、ホルダ２２を形成する一対の挟持部材２２ｂ、２２ｃに、ポンプ本体２１の外周部に外嵌する半割状の円形嵌合部２２ｊ、２２ｋを形成するにあたり、円形嵌合部２２ｊ、２２ｋの分割ラインＬを、ポンプ本体２１の軸心に対してオフセットしたため、第一の挟持部材２２ｂに形成される円形嵌合部２２ｊがＣ型となり、単独でポンプ本体２１の外周部に嵌着可能となる。これにより、ポンプ本体２１に対するホルダ２２の位置決めが容易になるとともに、ポンプ本体２１からホルダ２２を外す際、ホルダ２２の落下を防止することができる。
【００３８】
【発明の効果】
以上のように、本発明によれば、袋状容器の内容物を、他の容器に移し替えることなく、袋状容器から直接抽出して使用することができるようになり、しかも、内容物を抽出する際に、袋状容器を持ち上げて傾ける必要がないばかりでなく、内容物を所望の量だけ正確に抽出することができる。
【図面の簡単な説明】
【図１】ポンプ付き袋状容器の正面図である。
【図２】ポンプ付き袋状容器の側面図である。
【図３】ポンプ付き袋状容器の平面図である。
【図４】袋状容器の正面図である。
【図５】ポンプ本体の側面図である。
【図６】（Ａ）は、ホルダの正面図、（Ｂ）は、ホルダの平面図、（Ｃ）は、ホルダの底面図、（Ｄ）は、ホルダのＸ−Ｘ断面図である。
【図７】ホルダの内側面を示す展開図である。
【符号の説明】
１０  袋状容器
１１  抽出口
２０  ポンプ
２１  ポンプ本体
２２  ホルダ
２２ａ  ヒンジ部
２２ｂ  挟持部材
２２ｃ  挟持部材
２２ｆ  挟持溝
２２ｇ  挟持面
２２ｊ  円形嵌合部
２２ｋ  円形嵌合部
２２ｍ  指掛け部
２２ｎ  フック部
Ｋ  空間
Ｌ  分割ライン
【図１】
2005014982.tif 000003
【図２】
2005014982.tif 000004
【図３】
2005014982.tif 000005
【図４】
2005014982.tif 000006
【図５】
2005014982.tif 000007
【図６】
2005014982.tif 000008
【図７】
2005014982.tif 000009